(57)【要約】【課題】送風装置に後付け可能で、湿度を省エネかつ積極的にコントロールすることができる液体微細化装置を提供する。【解決手段】吸込口２と、吹出口３と、貯水部１０と、液体微細化手段２０と、を備えた液体微細化装置であって、吸込口２から吸い込まれた空気は、液体微細化手段２０により加湿され、液体微細化手段２０により加湿された空気は、吹出口３から吹き出され、液体微細化手段２０は、吸上管２１と、回転板２２と、を有し、吸上管２１は、貯水部１０の液体を吸い上げ、回転板２２は、吸上管２１が吸い上げた液体を回転により微細化し、液体微細化装置１は、湿度回収部を有する送風装置と連通可能であり、湿度回収部は、送風装置を通過する空気の湿度を回収し、液体微細化装置１および送風装置を通過する空気の流れにおいて、液体微細化装置１は、送風装置の下流側に設けられることを特徴とする液体微細化装置。【選択図】図３
2019215148.tif 000002
【特許請求の範囲】
【請求項１】
吸込口と、吹出口と、貯水部と、液体微細化手段と、を備えた液体微細化装置であって、
前記吸込口から吸い込まれた空気は、前記液体微細化手段により加湿され、
前記液体微細化手段により加湿された空気は、前記吹出口から吹き出され、
前記液体微細化手段は、吸上管と、回転板と、を有し、
前記吸上管は、前記貯水部の液体を吸い上げ、
前記回転板は、前記吸上管が吸い上げた液体を回転により微細化し、
前記液体微細化装置は、湿度回収部を有する送風装置と連通可能であり、
前記湿度回収部は、前記送風装置を通過する空気の湿度を回収し、
前記液体微細化装置および前記送風装置を通過する空気の流れにおいて、前記液体微細化装置は、前記送風装置の下流側に設けられることを特徴とする液体微細化装置。
【請求項２】
前記湿度回収部により湿度を回収された空気が、前記液体微細化装置に流入することを特徴とする請求項１に記載の液体微細化装置。
【請求項３】
前記吹出口は、第１吹出口と、第２吹出口と、を含み、
前記第１吹出口から吹き出される空気は、鉛直方向上方に向かって吹き出され、
前記第２吹出口から吹き出される空気は、水平方向に向かって吹き出されることを特徴とする請求項１または２に記載の液体微細化装置。
【請求項４】
前記第１吹出口または前記第２吹出口を覆う閉鎖板を備え、
前記閉鎖板が前記第１吹出口に取り付けられている場合、前記液体微細化手段により加湿された空気は、前記第２吹出口から吹き出され、
前記閉鎖板が前記第２吹出口に取り付けられている場合、前記液体微細化手段により加湿された空気は、前記第１吹出口から吹き出されることを特徴とする請求項３に記載の液体微細化装置。
【請求項５】
前記吸込口に連通する内筒風路と、
前記吹出口および前記内筒風路に連通する外筒風路と、を備え、
前記液体微細化手段は、前記内筒風路に設けられ、
前記外筒風路は、前記内筒風路の外周に設けられ、
前記液体微細化装置を通過する空気は、前記吸込口、前記内筒風路、前記外筒風路、前記吹出口の順に通過し、
前記外筒風路内を通過する空気は、鉛直方向上方に向かって送風されることを特徴とする請求項１〜４のいずれか１項に記載の液体微細化装置。
【請求項６】
前記液体微細化手段の運転を制御する加湿制御部を備え、
前記加湿制御部は、前記送風装置の運転と連動して動作するよう前記液体微細化手段を制御することを特徴とする請求項１〜５のいずれか１項に記載の液体微細化装置。
【請求項７】
前記液体微細化手段の運転を制御する加湿制御部を備え、
前記加湿制御部は、前記送風装置の運転と独立して動作するよう前記液体微細化手段を制御することを特徴とする請求項１〜５のいずれか１項に記載の液体微細化装置。
【請求項８】
前記吸込口に接続されるダクトを介して前記送風装置と連通することを特徴とする請求項１〜７のいずれか１項に記載の液体微細化装置。
【請求項９】
前記液体微細化装置を支持する支持部を備え、
前記液体微細化装置は、前記支持部により前記送風装置に接続されることを特徴とする請求項１〜８のいずれか１項に記載の液体微細化装置。
【発明の詳細な説明】
【技術分野】
【０００１】
本発明は、送風装置に接続されて空気を加湿する液体微細化装置に関するものである。
【背景技術】
【０００２】
例えば、従来の送風装置に接続される液体微細化装置の構成は、以下のような構成となっていた。
【０００３】
図９に示すように、従来の液体微細化装置では、吸い込み口１１７から吸い込まれた空気が送風ファン１１４によって器具本体１０１の上部方向へ送風され、送風された空気が貯水室１０８の上部から加湿空気発生手段（回転体１１０、多孔体１１２、多孔部１１３）に流入し、流入した空気が多孔部１１３で発生したナノミストとマイナスイオンを含んだ加湿空気として送風通路１１５内を上昇し、送風口１０２から室内へ送風されることで、ナノミストとマイナスイオンを含んだ加湿空気を室内へ供給する。
【先行技術文献】
【特許文献】
【０００４】
【特許文献１】特開２０１７−１１６１６４号公報
【発明の概要】
【発明が解決しようとする課題】
【０００５】
このような従来の液体微細化装置は、送風装置の下流側にあらかじめ加湿空気発生手段が本体内部等に組み込まれていることが必要で、本体に新たに追加して設置することが困難であるという課題があった。また、送風部分において湿度回収が行われないため、加湿空気発生手段において積極的な湿度コントロールが困難で、さらに、空気を確実に加湿するために、加湿空気発生手段でヒータを使用するなど大きなエネルギーが必要となっていた。
【０００６】
そこで本発明は、上記課題を解決するものであり、送風装置に後付け可能で、湿度を積極的にかつ省エネルギーでコントロールすることができる液体微細化装置を提供することを目的とする。
【課題を解決するための手段】
【０００７】
そして、この目的を達成するために、本発明は、吸込口と、吹出口と、貯水部と、液体微細化手段と、を備えた液体微細化装置であって、吸込口から吸い込まれた空気は、液体微細化手段により加湿され、液体微細化手段により加湿された空気は、吹出口から吹き出され、液体微細化手段は、吸上管と、回転板と、を有し、吸上管は、貯水部の液体を吸い上げ、回転板は、吸上管が吸い上げた液体を回転により微細化し、液体微細化装置は、湿度回収部を有する送風装置と連通可能であり、湿度回収部は、送風装置を通過する空気の湿度を回収し、液体微細化装置および送風装置を通過する空気の流れにおいて、液体微細化装置は、送風装置の下流側に設けられるものであり、これにより所期の目的を達成するものである。
【発明の効果】
【０００８】
この構成によって、送風装置に後付け可能で、湿度を省エネかつ積極的にコントロールすることができる液体微細化装置を提供することができる。
【図面の簡単な説明】
【０００９】
【図１】本発明の実施の形態１に係る液体微細化装置の正面側を示す斜視図
【図２】同液体微細化装置の背面側を示す斜視図
【図３】同液体微細化装置の概略断面図
【図４】同液体微細化装置が本発明の実施の形態１に係る送風装置に接続された状態を示す概略斜視図
【図５】同液体微細化装置を同送風装置に接続する状態を示す概略斜視図
【図６】同液体微細化装置が同送風装置に接続された状態を示す概略拡大斜視図
【図７】同液体微細化装置および同送風装置の空気の流れを示す概略斜視図
【図８】本発明の実施の形態２に係る液体微細化装置と送風装置の構成を示すブロック図
【図９】本発明の実施の形態３に係る液体微細化装置が上方向に吹き出す場合の構成を示す概略斜視図
【図１０】同液体微細化装置の構成を示す概略斜視図
【図１１】同液体微細化装置の概略断面図
【図１２】同液体微細化装置と送風装置の構成を示す概略斜視図
【図１３】本発明の実施の形態３に係る液体微細化装置が横方向に吹き出す場合の構成を示す概略斜視図
【図１４】同液体微細化装置の構成を示す概略斜視図
【図１５】同液体微細化装置の概略断面図
【図１６】同液体微細化装置と送風装置の構成を示す概略斜視図
【図１７】従来の液体微細化装置の断面を示す断面図
【発明を実施するための形態】
【００１０】
本発明の一態様に係る液体微細化装置は、吸込口と、吹出口と、貯水部と、液体微細化手段と、を備えた液体微細化装置であって、吸込口から吸い込まれた空気は、液体微細化手段により加湿され、液体微細化手段により加湿された空気は、吹出口から吹き出され、液体微細化手段は、吸上管と、回転板と、を有し、吸上管は、貯水部の液体を吸い上げ、回転板は、吸上管が吸い上げた液体を回転により微細化し、液体微細化装置は、湿度回収部を有する送風装置と連通可能であり、湿度回収部は、送風装置を通過する空気の湿度を回収し、液体微細化装置および送風装置を通過する空気の流れにおいて、液体微細化装置は、送風装置の下流側に設けられる。
【００１１】
この構成により、液体微細化装置は送風装置に後付けすること、すなわち追加で設置することが可能となる。また、液体微細化装置において、液体微細化手段による加湿量は、回転板の回転数により定まる。つまり、液体微細化装置は、回転板の回転数を制御することで、加湿量をコントロールすることができる。これにより、たとえば湿度回収部が、通過する空気の状態や湿度回収効率等によって加湿量が一定値に定まるようなものであったとしても、その湿度回収部に加えて、液体微細化装置によって加湿量をコントロールできるので、湿度をより適切にコントロールすることができる。すなわち、湿度回収部と液体微細化装置によって、全体として、より的確に室内等の湿度を目標とする湿度とすることができる。
【００１２】
さらに、液体微細化装置および送風装置を通過する空気の流れにおいて、液体微細化装置は、送風装置の下流側に設けられることで、室内へ吹き出される出口に近い側で、液体微細化装置による加湿をすることができる。また、液体微細化装置は送風装置に後付けすることができるので、例えば給排水のための配管等を、送風装置や設置環境に応じて変えることができるので、施工性が向上する。
【００１３】
また、湿度回収部により湿度を回収された空気が、液体微細化装置に流入するとしてもよい。
【００１４】
この構成により、湿度回収された後の空気が液体微細化装置に流入することで、湿度コントロールをより精度良く行なうことができるようになる。
【００１５】
また、吸込口に連通する内筒風路と、吹出口および内筒風路に連通する外筒風路と、を備え、液体微細化手段は、内筒風路に設けられ、外筒風路は、内筒風路の外周に設けられ、液体微細化装置を通過する空気は、吸込口、内筒風路、外筒風路、吹出口の順に通過し、外筒風路内を通過する空気は、鉛直方向上方に向かって送風されるとしてもよい。
【００１６】
この構成により、吸込口から吸いこまれた空気は、内筒内に送風され、液体微細化手段の周囲を通過して外筒風路に至るようにされることで、吸込口から吸いこまれた空気と液体微細化手段で発生させた水滴との接触効率を向上させることができ、水滴の気化効率を向上させることができる。また、吸込口から吸いこまれた空気を、内筒風路を鉛直方向下向きに通過させたのち、通風口を通過して外筒風路を鉛直方向上向きに通過させ、気化しにくい大粒の水滴を分離することができる。すなわち、液体微細化手段で発生させた水滴は、内筒風路内を下方に流れる空気とともに下向きに飛散し、通風口において下向きに吹出される。ここで、空気は通風口を通過すると外筒風路内を通過する空気は鉛直方向上方に向かって送風されるため、送風方向が対向する向きに変わる。その際に、水滴は、重量による慣性によって外筒風路の壁面に衝突し捕集される。このようにして、気化しにくい大粒の水滴を外筒風路の壁面に捕集することができ、分離することができる。また、液体微細化手段を内筒で覆われるように配置したことにより、液体微細化手段で発生させた水滴を内筒の内側表面に付着させ、内筒外への飛散を抑制できるので、内筒の通風口から風圧によって水滴が再飛散することを抑制することができる。その結果、液体微細化手段によって発生した水滴が、室内へ放出されることを抑制できるものである。
【００１７】
また、液体微細化手段の運転を制御する加湿制御部を備え、加湿制御部は、送風装置の運転と連動して動作するよう液体微細化手段を制御するとしてもよい。
【００１８】
この構成によって、加湿制御部が液体微細化手段の運転を制御することで、加湿量を制御し、さらに送風装置と液体微細化手段が連動することで、効率的に加湿することができる。
【００１９】
また、液体微細化手段の運転を制御する加湿制御部を備え、加湿制御部は、送風装置の運転と独立して動作するよう液体微細化手段を制御するとしてもよい。
【００２０】
この構成によって、加湿制御部が液体微細化手段の運転を制御することで、加湿量を制御することができる。また、送風装置から独立して液体微細化手段が運転するので、送風装置の運転状況に関わらず、加湿を行うことができる。
【００２１】
また、吸込口に接続されるダクトを介して送風装置と連通するとしてもよい。
【００２２】
この構成によって、吸込口に直接ダクトを接続できるので、さまざまな送風装置に液体微細化装置を接続することができる。
【００２３】
また、液体微細化装置を支持する支持部を備え、液体微細化装置は、支持部により送風装置に接続されるとしてもよい。
【００２４】
この構成によって、支持部で液体微細化装置と送風装置を接続するので、液体微細化装置を設置できる送風装置の選択肢を増やすことができる。また、液体微細化装置および送風装置の施工性を向上させることができる。
【００２５】
また、吹出口は、第１吹出口と、第２吹出口と、を含み、第１吹出口から吹き出される空気は、鉛直方向上方に向かって吹き出され、第２吹出口から吹き出される空気は、水平方向に向かって吹き出されるとしてもよい。
【００２６】
この構成によって、加湿された空気を鉛直方向上方（上方向）または水平方向（横方向）に吹き出すことが可能となり、施工性や汎用性が向上する。
【００２７】
また、第１吹出口または第２吹出口を覆う閉鎖板を備え、閉鎖板が第１吹出口に取り付けられている場合、液体微細化手段により加湿された空気は、第２吹出口から吹き出され、閉鎖板が第２吹出口に取り付けられている場合、液体微細化手段により加湿された空気は、第１吹出口から吹き出されるとしてもよい。
【００２８】
この構成によって、加湿された空気を吹き出す方向を選択することが可能となり、施工性や汎用性がさらに向上する。
【００２９】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００３０】
（実施の形態１）
まず、図１〜図３を用いて、液体微細化装置の構成について説明する。
【００３１】
図１は、本発明の実施の形態１に係る液体微細化装置の正面側を示す斜視図である。図２は、本発明の実施の形態１に係る液体微細化装置の背面側を示す斜視図である。図３は、本発明の実施の形態１に係る液体微細化装置の概略断面図を示したものである。
【００３２】
図１および図２に示すように、液体微細化装置１は、円柱状の容器として構成されている。また、液体微細化装置１は、吸込口２と、吹出口３と、内筒５と、外筒９と、を備えている。
【００３３】
吸込口２は、ダクト接続可能な形状（例えば円形形状）の開口であり、液体微細化装置１の側面に設けられている。
【００３４】
吹出口３は、液体微細化装置１内部を通過した空気が吹き出される開口であり、液体微細化装置１の上面に設けられている。また、図１および図２に示すように、吹出口３は、後述する内筒５と外筒９とで仕切られる領域に形成される。そして、例えば吹出口３は、液体微細化装置１の上面部における内筒５の周囲に設けられる。さらに、吹出口３は、吸込口２よりも上方に位置するように設けられている。また、吹出口３は、筒状のダクトが接続可能な形状である。
【００３５】
図３に示すように、吸込口２から取り込まれた（吸い込まれた）空気は、吹出口３から吹き出される（流出する）。
【００３６】
内筒５は、液体微細化装置１内部の中央付近に配置される。また、内筒５は、略鉛直方向下方に向けて開口した通風口７を有し、中空円筒形状に形成されている。外筒９は、円筒形状に形成され、内筒５を内包するように配置されている。
【００３７】
また、液体微細化装置１の下方には、水受け部１２が設けられる。水受け部１２は、貯水部１０に貯水しきれなかった液体を溜めることができる。これにより、仮に過剰に給水が行われたり、排水口１１などに不具合が起こったりした場合でも、住宅や後述する送風装置３０等に液体があふれ出ることを抑制できる。
【００３８】
なお、水受け部１２の形状は、貯水部１０からあふれた液体を溜めることができる形状であればよく、図１等で図示する形状に限られない。また、液体微細化装置１は水受け部１２を備えていなくてもよい。
【００３９】
図３に示すように、液体微細化装置１は、内筒風路４と、吸込連通風路６と、外筒風路８と、貯水部１０と、液体微細化手段２０と、を有する。
【００４０】
吸込連通風路６は、吸込口２と内筒５とを連通するダクト形状の風路であり、吸込口２から吸いこまれた空気は、吸込連通風路６を介して内筒５内部に至る構成となっている。
【００４１】
内筒風路４は、内筒５の下端に設けられた開口（通風口７）を介して、内筒５の外側に設けられた外筒風路８（図３の破線矢符で示す風路）と連通している。
【００４２】
外筒風路８は、内筒５と外筒９との間に形成されている。外筒風路８の一部は、内筒５と外筒９とで仕切られる領域に形成される。
【００４３】
貯水部１０は、液体微細化装置１の下部に設けられ、液体を貯留する。また、貯水部１０は、略すり鉢形状に形成されて、貯水部１０の側壁は、外筒９の下端と接続されて一体化している。本実施の形態では、貯水部１０に貯留する液体を水とする。また、連続的に水を微細化させるために、液体微細化装置１には、水を貯水部１０へ給水する給水口１５と、貯水部１０より水を排出する排水口１１が備えられている。給水口１５は、外筒９に設けられており、水は図３に示す水面４０まで貯水される。また、排水口１１は貯水部１０の下部であるすり鉢形状の貯水部底面に設けられている。給水口１５は給水管１６と接続されており、給水管は、電磁弁等の開閉手段を介して、例えば、住宅や施設の上水道や給水ポンプなどの給水設備に接続されている。また、排水口１１は、排水管１４を介して、住宅や施設に設けられている排水口などの排水設備に接続されている。
【００４４】
液体微細化手段２０は、吸上管２１と、回転板２２と、モータ２３と、を有する。また、液体微細化手段２０は、内筒５の内側すなわち内筒５に覆われる位置に設けられている。
【００４５】
吸上管２１は、回転により貯水部１０から水を吸い上げる。また、吸上管２１は中空の円錐台形状に形成され、直径の小さい側の先端が貯水部１０に貯水された水の水面以下になるように設けられている。回転板２２は、中央が開口したドーナツ状の円板形状に形成され、吸上管２１の直径の大きい側、言い換えれば吸上管２１の上部の周囲に配置されている。吸上管２１の直径の大きい側には、その側面に複数の開口が設けられており、吸上げた水が開口を通過して回転板２２に供給されるようになっている。そして、回転板２２は、吸上管２１により吸い上げられた水を回転面方向に放出する。モータ２３は、吸上管２１および回転板２２を回転させる。
【００４６】
さらに、図４に示すように、液体微細化装置１は、その側面に加湿制御部１３を備える。加湿制御部１３は、液体微細化装置１、特に液体微細化手段２０の運転を制御することで加湿量を制御する。これにより、液体微細化装置１は後述する送風装置３０と連動して動作したり、連動せず単独で動作したりできるようになる。
【００４７】
なお、加湿制御部１３が設けられる位置は図４等に示す位置に限られない。また、液体微細化装置１は加湿制御部１３を備えず、送風装置を制御する制御部により制御される構成であってもよい。
【００４８】
以下、図３を用いて液体微細化装置の動作について説明する。
【００４９】
初めに、図示しない給水設備より水が給水口１５から貯水部１０に供給され、貯水部１０に水が貯水される。そして、後述する送風装置３０等によって吸込口２から液体微細化装置１内部に吸い込まれた空気は、吸込連通風路６、内筒風路４、液体微細化手段２０、外筒風路８の順に通過し、吹出口３から外部例えば室内に向けて吹出される。このとき、液体微細化手段２０によって発生した水滴と、内筒風路４を通過する空気とが接触し、水滴が気化することにより空気を加湿することができる。また、貯水部１０に貯水された水は、所定時間が経過したのち排水口１１から排出される。
【００５０】
その詳細な動作を説明する。
【００５１】
吸込口２から吸込連通風路６を通過して内筒風路４の内筒に取り込まれた空気は、液体微細化手段２０を通過する。吸上管２１および回転板２２がモータ２３の動作により回転すると、回転により貯水部１０に貯水された水が吸上管２１の内壁面を伝って上昇する。上昇した水は、回転板２２の表面を伝って引き伸ばされ、回転板２２の外周端から回転面方向に向かって微細な水滴として放出される。放出された水滴は内筒５の内壁面に衝突して破砕され、さらに微細な水滴となる。この回転板２２から放出された水滴と、内筒５の内壁面に衝突し破砕された水滴とが内筒５を通過する空気と接触し、水滴が気化して空気の加湿が行われる。なお、発生した水滴の一部は気化しないが、液体微細化手段２０を内筒５で覆われるように配置しているので、気化しなかった水滴は内筒５の内側表面に付着して貯水部１０に落下する。
【００５２】
そして、水滴を含んだ空気（加湿された空気）は、内筒５の下端に設けられた通風口７から下方に設けられた貯水部１０に向けて吹出される。そして、内筒５と外筒９との間に形成された外筒風路８に向かって流れる。ここで、外筒風路８内を通過する空気は鉛直方向上方に向かって送風されるため、内筒風路４内を下方に流れる空気と送風方向が対向する向きに変わることとなる。
【００５３】
このとき、通風口７から空気とともに吹出された水滴はその慣性により空気の流れに追従できず、貯水部１０の水面もしくは外筒９の内側壁面に付着する。この作用は水滴の重量が大きいほど作用が大きく、すなわち、気化しにくい直径の大きな水滴ほど作用が大きいため、これにより大粒の水滴を流れる空気から分離することができる。
【００５４】
そして、内筒風路４から通風口７を介して外筒風路８に流入した空気は、外筒風路８を通って上向きに流れる。そして、吹出口３から外部に吹き出される。このとき、水滴の一部は重力により貯水部１０へ落下する、もしくは、内筒５の外壁や外筒９の内壁に付着する。そして、内筒５の外壁や外筒９の内壁に付着した水滴は、内筒５の外側壁面や外筒９の内側壁面を伝って貯水部１０へ落下する。
【００５５】
以上述べたようにして、本発明の液体微細化装置１は、空気を加湿することができる。
【００５６】
次に、図４を用いて、液体微細化装置に接続される送風装置について説明する。
【００５７】
図４は、液体微細化装置１が送風装置３０に接続された状態を示す概略斜視図である。
【００５８】
送風装置３０は、箱形の本体ケース３１を有し、例えば床に置かれた状態で使用される。
【００５９】
本体ケース３１の例えば天面には、外気吸込口３３、給気口３４、室内空気吸込口３５、および排気口３６（図６参照）が設けられている。
【００６０】
外気吸込口３３は、室内空気吸込口３５および排気口３６と隣り合う位置に設けられる。また、給気口３４は、室内空気吸込口３５および排気口３６と隣り合う位置に設けられる。すなわち、室内空気吸込口３５および排気口３６は、外気吸込口３３および給気口３４と隣り合う位置にそれぞれ設けられる。
【００６１】
外気吸込口３３、給気口３４、室内空気吸込口３５、および排気口３６には、それぞれダクトが接続できる形状となっている。外気吸込口３３と排気口３６に接続したダクトは建物外壁面まで引き回して建物外の屋外空気と連通する。給気口３４と室内空気吸込口３５に接続したダクトは室内の天井面または壁面と連通されて室内空気と連通する。
【００６２】
本体ケース３１は内部に、湿度回収部３２、送風機３７および給気風路３８（図７参照）を有する。湿度回収部３２は、送風機３７の下方に設けられる。
【００６３】
給気風路３８（図７参照）は、新鮮な屋外の空気（給気空気）を外気吸込口３３から吸い込み、湿度回収部３２を通って給気口３４から液体微細化装置１を介して室内に供給する風路である。
【００６４】
湿度回収部は３２、送風機３７により吸い込まれ、送風装置３０内部（特に、給気風路３８）を通過する空気の湿度を回収（交換）する湿度回収（湿度交換）の機能を有している。湿度回収部３２は、例えば全熱交換素子やデシカント式、ヒートポンプ式の熱交換器などである。なお、湿度回収部３２は、湿度だけでなく温度を回収（交換）する機能を有していてもよい。これにより、より快適な空気を室内に供給することができる。
【００６５】
また、送風装置３０は制御部（図示せず）を有していてもよい。制御部は、送風機３７の運転や湿度回収部３２の運転を制御する。これにより、例えば液体微細化装置１が運転していないときでも、送風装置３０の湿度回収部３２により湿度回収を行うことで、室内に給気する空気の湿度コントロールをすることができる。
【００６６】
また、送風装置３０の制御部と加湿制御部１３とが電気的に接続され、送風装置３０と液体微細化装置１が連動する構成であってもよい。
【００６７】
さらに、湿度回収部３２が全熱交換素子である場合には、本体ケース３１の内部に排気送風機を設け、排気風路を有するという構成であってもよい。排気風路は、排気送風機によって室内空気吸込口３５から室内空気を吸い込み、湿度回収部３２を通って排気口３６から外部に排気する風路である。このとき、湿度回収部３２すなわち全熱交換素子は、排気風路と給気風路３８が交わる位置に配置される。そして、排気風路を通過する空気と給気風路３８を通過する空気の湿度交換が湿度回収部３２（全熱交換素子）により行われる。
【００６８】
なお、本実施の形態では、送風装置３０を床に置いて使用する態様を示しているが、送風装置３０は本体ケース３１を横向きに設置するような構成であってもよい。つまり、送風装置３０の給気口３４等は天面ではなく側面に設けられてもよい。このとき、本体ケース３１側面から吸い込み、本体ケース３１側面から吹き出されるような風路構成となる。これにより、送風装置３０は例えば天井裏や床下などにも設置可能となり、さらに、液体微細化装置１は、このようなさまざまな送風装置３０に接続可能であることとなる。
【００６９】
また、湿度回収部３２によって湿度回収された後の空気は、液体微細化装置１を通らないようにバイパスされて室内に供給されてもよい。これにより、例えば液体微細化装置１は運転せず、送風装置３０のみ運転するような場合に、湿度回収された後の空気を効率よく室内に供給することができる。
【００７０】
次に、図５〜図７を用いて、液体微細化装置と送風装置との接続について説明する。
【００７１】
図５は、液体微細化装置１を送風装置３０に接続する状態を示す概略斜視図である。図６は、液体微細化装置１が送風装置３０に接続された状態の液体微細化装置１を示す概略拡大斜視図である。図７は、液体微細化装置１および送風装置３０の空気の流れを示す概略斜視図である。
【００７２】
図５に示すように、液体微細化装置１は、送風装置３０の天面に設置される。例えば、液体微細化装置１と送風装置３０は、脚部分４２ａと台座部分４２ｂとを有する支持部４２で接続される。このとき、脚部分４２ａと送風装置３０が固定され、台座部分４２ｂと液体微細化装置１が固定される。すなわち、図６に示すように、支持部４２（特に台座部分４２ｂ）に液体微細化装置１が載置されるような状態となる。これによって、液体微細化装置１と送風装置３０は離間して設けられるので、例えば、送風装置３０天面に接続されるダクトの引き回し等の条件が緩和され、液体微細化装置１および送風装置３０の施工性が向上する。
【００７３】
そして、ダクト４１を介して、送風装置３０の給気口３４と液体微細化装置１の吸込口２が連通する。つまり、給気口３４と吸込口２にダクト４１が接続される。これにより、図７に示すように送風装置３０の送風機３７によって、給気口３４から吹き出された空気はダクト４１を通過して吸込口２から液体微細化装置１に流入する。吸込口２にダクトが接続可能であるため、液体微細化装置１は、送風装置３０に追加で設置すること、すなわち、あとづけが可能となり、さまざまな送風装置に対応可能となる。
【００７４】
このように、回転板２２の回転数により加湿量を制御することができる液体微細化装置１に送風装置３０が接続される。これにより、たとえば湿度回収部３２が全熱交換素子のような、通過する空気の状態や湿度回収効率等によって加湿量が一定値に定まるようなもので、加湿量を制御することが難しいものであったとしても、液体微細化手段２０による加湿量コントロールをあわせて行うことで、より適切に湿度を制御することができる。すなわち、湿度回収部３２と湿度量が可変である液体微細化装置１とによって、全体として、より的確に室内等の湿度を目標とする湿度とすることができる。
【００７５】
また、送風装置３０は、液体微細化装置１および送風装置３０を通過する空気の流れにおいて、液体微細化装置１より上流側に設けられる。言い換えれば、液体微細化装置１は送風装置３０の下流側に設けられる。このとき、湿度回収部３２で湿度回収された後の空気が液体微細化装置１に流入するので、より適切に湿度コントロールすることができる。また、湿度回収部３２と液体微細化装置１の２箇所で湿度制御を行うことで、湿度回収部３２や液体微細化装置１にヒータ等を設置していない場合でも、十分な加湿量を確保することができる。また、加湿量を確保するためのヒータが不要になることで、省エネを実現できる。
【００７６】
なお、液体微細化装置１と送風装置３０は着脱可能であってもよい。これにより、液体微細化装置１と送風装置３０を別個に取り外すことができるので、メンテナンス性が向上する。
【００７７】
次に、液体微細化装置の運転と送風装置の運転の関係について説明する。
【００７８】
液体微細化手段２０による加湿運転は、送風装置３０の湿度回収部３２による湿度回収と連動して行われてもよい。これにより、より適切に湿度制御を行うことができる。
【００７９】
たとえば、湿度回収部３２による湿度制御のみを行っている運転中に、送風装置３０の制御部により、さらに加湿が必要であると判断した場合には、送風装置３０の制御部から加湿制御部１３に加湿運転を開始する指示を出す。そして、この指示を受けた加湿制御部１３は液体微細化手段２０に運転開始の指示をする。これにより、より適切かつ速やかに加湿量すなわち室内の湿度をコントロールすることが可能になる。
【００８０】
なお、連動の仕方については上述したものに限られず、住宅の部屋数や使用者の好みに合わせて、室内の湿度を最適にコントロールするために適切な制御方法を適宜採用することとする。また、液体微細化手段２０の運転を制御するのは加湿制御部１３であっても、送風装置３０の制御部であってもよい。
【００８１】
さらに、液体微細化手段２０による加湿運転は、上述したように送風装置３０の湿度回収部３２による湿度回収から独立して行われてもよい。これにより、湿度回収部３２による湿度回収が行われているか否かに関わらず、室内に供給する空気の加湿を制御することができる。また、送風装置３０の風量を上げることなく、液体微細化装置１の運転により、加湿量を上げることができる。
【００８２】
なお、液体微細化装置１には、エリミネータを設けてもよい。エリミネータは、液体微細化手段２０により破砕された水滴のうち、大粒の水滴を捕集する。これにより、大粒の水滴が吹出口３から吹き出されることを抑制し、使用者の不快感を抑制できる。エリミネータは例えば吹出口３近傍や液体微細化手段２０を覆うように内筒５に設けられる。
【００８３】
また、吹出口３は液体微細化装置１の天面ではなく側面に設けてもよい。これにより、加湿された空気が液体微細化装置１の側面から吹き出されることとなるので、上方向からの吹き出しの場合には設置できないようなところにも液体微細化装置１の設置が可能となり、液体微細化装置１の汎用性が向上する。
【００８４】
なお、送風装置３０における外気吸込口３３、給気口３４、室内空気吸込口３５および排気口３６の配置は一例であって、送風装置３０の種類や送風装置３０が設置される場所等に応じて適宜設定できるものとする。
【００８５】
また、本実施の形態においては、液体微細化装置１は支持部４２を介して送風装置３０に設置されることとしたが、液体微細化装置１と送風装置３０の接続方法はこれに限られず、液体微細化装置１と送風装置３０が連通すればよい。
【００８６】
（実施の形態２）
実施の形態１と同じ構成の箇所は同じ符号を付与し、詳細な説明は省略する。
【００８７】
図８は、実施の形態２に係る液体微細化装置１と送風装置３０ａの構成を示すブロック図である。液体微細化装置１は、湿度回収部を有しない送風装置３０ａ（例えば換気装置）に接続される。この場合、図８（ａ）に示すように、液体微細化装置１は送風装置３０ａより下流側に設けられてもよい。また、図８（ｂ）に示すように、液体微細化装置１は送風装置３０ａより上流側に設けられてもよい。なお、図８（ａ）、（ｂ）において破線矢印は、液体微細化装置１および送風装置３０ａを通過する空気の流れを示す。
【００８８】
液体微細化装置１が送風装置３０ａの上流側に設けられることで、空気を加湿する際の気化熱を利用してファンモータを冷やすことができる。一方、液体微細化装置１が送風装置３０ａの下流側に設けられる場合には、ファンモータの熱を利用して効率よく加湿することができる。
【００８９】
（実施の形態３）
実施の形態１、２と同じ構成の箇所は同じ符号を付与し、詳細な説明は省略する。
【００９０】
図９は送風装置３０などの換気装置に接続可能な液体微細化装置１の斜視図である。
【００９１】
図９および図１０に示すように、液体微細化装置１は、第１吹出口３ａと、第２吹出口３ｂと、閉鎖板５１と、を有する。
【００９２】
第１吹出口３ａは液体微細化装置１の上方に設けられる開口である。第１吹出口３ａから吹き出される空気は鉛直方向上方に向かって吹き出される。
【００９３】
第２吹出口３ｂは液体微細化装置１の側方に設けられる開口である。第２吹出口３ｂから吹き出される空気は水平方向に向かって吹き出される。
【００９４】
閉鎖板５１は第１吹出口３ａもしくは第２吹出口３ｂを塞ぐように取り付けられる。すなわち、閉鎖板５１が取り付けられた第１吹出口３ａもしくは第２吹出口３ｂからは空気の流出が制限される。
【００９５】
第１吹出口３ａもしくは第２吹出口３ｂには給気アダプタ５０が取り付けられ、給気アダプタ５０を介してダクト等に接続される。
【００９６】
ここで、加湿された空気が上方向へ吹き出される態様について図１１、１２を用いて説明する。
【００９７】
給気アダプタ５０が第１吹出口３ａに取り付けられ、閉鎖板５１が第２吹出口３ｂに設けられている場合、送風装置３０より吹き出された空気は吸込口２から液体微細化装置１内へ取り込まれ、液体微細化手段２０を通過して加湿され、第１吹出口３ａより上部へ吹き出される。この場合、液体微細化装置１は送風装置３０の上部に載置されるように接続されていてもよい。
【００９８】
次に、給気アダプタ５０と閉鎖板５１を入れ替えて、第２吹出口３ｂより横向きに空気が吹き出されるように設けられる態様について図１３〜図１６を用いて説明する。
【００９９】
図１３および図１４に示すように、給気アダプタ５０を第２吹出口３ｂに取り付け、閉鎖板５１を第１吹出口３ａに設けてもよい。
【０１００】
ここで、加湿された空気が横方向へ吹き出される態様について図１５、１６を用いて説明する。
【０１０１】
給気アダプタ５０が第２吹出口３ｂに取り付けられ、閉鎖板５１が第１吹出口３ａに設けられている場合、送風装置３０より吹き出された空気は吸込口２から液体微細化装置１内へ取り込まれ、液体微細化手段２０を通過して加湿され、第２吹出口３ｂより水平方向に向かって吹き出される。
【０１０２】
また、この場合、送風装置３０の外気吸込口３３、給気口３４、室内空気吸込口３５、排気口３６が本体ケース３１の側部に設けられ、液体微細化装置１が本体ケース３１の側部に設けられていてもよい。このとき、送風装置３０および液体微細化装置１には横方向から空気が流入し、横方向へ空気が吹き出されることとなる。
【０１０３】
このように、給気アダプタ５０と閉鎖板５１を入れ替えて、液体微細化装置で加湿された空気が第２吹出口３ｂから横方向に吹き出されるように設けられることで、送風装置３０の上部に施工スペースが十分確保できない場合でも、横方向への施工スペースも確保することができる。すなわち、液体微細化装置１を送風装置３０の上方に設けるだけでなく、送風装置３０の横に位置するように設けることが可能となる。これにより、液体微細化装置１と送風装置３０の組み合わせや設置場所の自由度が向上し、施工性ならびに汎用性が向上する。
【０１０４】
なお、閉鎖板５１は第１吹出口３ａおよび第２吹出口３ｂを塞ぐことができる構造であればよく、例えばスライド方式の閉鎖板５１を液体微細化装置１と一体に備えていてもよい。
【０１０５】
また、第１吹出口３ａおよび第２吹出口３ｂの形状も設置条件等にあわせて適宜変更できるものとする。
【０１０６】
さらに、第２吹出口３ｂから横方向への吹き出しにあたり、液体微細化装置および送風装置の内部構成や風路設計などは適宜変更するものとする。
【０１０７】
以上、本発明に係る液体微細化装置について、実施の形態に基づいて説明したが、本発明は、実施の形態に限定されるものではない。本発明の趣旨を逸脱しない限り、当業者が思いつく各種変形を本実施の形態に施したものも、異なる実施の形態における構成要素を組み合わせて構築される形態も、本発明の範囲内に含まれる。
【産業上の利用可能性】
【０１０８】
本発明の液体微細化装置は、換気装置、空気清浄機および空気調和機等への活用が期待される。
【符号の説明】
【０１０９】
１    液体微細化装置
２    吸込口
３    吹出口
３ａ    第１吹出口
３ｂ    第２吹出口
４    内筒風路
５    内筒
６    吸込連通風路
７    通風口
８    外筒風路
９    外筒
１０    貯水部
１１    排水口
１２    水受け部
１３    加湿制御部
１４    排水管
１５    給水口
１６    給水管
２０    液体微細化手段
２１    吸上管
２２    回転板
２３    モータ
３０    送風装置
３０ａ    送風装置
３１    本体ケース
３２    湿度回収部
３３    外気吸込口
３４    給気口
３５    室内空気吸込口
３６    排気口
３７    送風機
３８    給気風路
４０    水面
４１    ダクト
４２    支持部
４２ａ    脚部分
４２ｂ    台座部分
５０    給気アダプタ
５１    閉鎖板
１０１    器具本体
１０２    送風口
１０８    貯水室
１１０    回転体
１１２    多孔体
１１３    多孔部
１１４    送風ファン
１１５    送風通路
１１７    吸い込み口
【図１】
2019215148.tif 000003
【図２】
2019215148.tif 000004
【図３】
2019215148.tif 000005
【図４】
2019215148.tif 000006
【図５】
2019215148.tif 000007
【図６】
2019215148.tif 000008
【図７】
2019215148.tif 000009
【図８】
2019215148.tif 000010
【図９】
2019215148.tif 000011
【図１０】
2019215148.tif 000012
【図１１】
2019215148.tif 000013
【図１２】
2019215148.tif 000014
【図１３】
2019215148.tif 000015
【図１４】
2019215148.tif 000016
【図１５】
2019215148.tif 000017
【図１６】
2019215148.tif 000018
【図１７】
2019215148.tif 000019